(57)【特許請求の範囲】
【請求項１】
位置情報を取得する位置情報取得手段と、日時情報を取得するための計時手段とを有する電子機器において、
地理上の位置に関する情報と、前記地理上の位置を含む所定の範囲に関する情報とを記憶する第１記憶部と、
前記地理上の位置を含む所定の範囲への出入りに関する情報を記憶する第２記憶部とを有し、
前記位置情報取得手段において取得した現在地に関する位置情報が、前記地理上の位置を含む所定の範囲内か否かの判断結果に基づいて前記位置情報により示される位置について、前記地理上の位置を含む所定の範囲内への出入りを検出し、
出入りが検出されると、当該出入りが、前記地理上の位置を含む所定の範囲への出と入りとのいずれであるかを示す情報と、前記計時手段において取得した、前記地理上の位置を含む所定の範囲への出入りが検出されたときの日時を示す日時情報とを前記第２記憶部に記憶する制御手段を備えてなることを特徴とする電子機器。
【請求項２】
前記第１記憶部に記憶される前記所定の範囲に関する情報を、設定するエリア設定手段を備えることを特徴とする請求項１に記載の電子機器。
【請求項３】
前記第１記憶部は、前記地理上の位置を含む所定の範囲から所定の範囲外への出が検出されたとき、所定の範囲外からの所定の範囲への入りが検出されたとき、または、所定の範囲外への出および所定の範囲外からの入りの両方が検出されたとき、を区別して、前記第２記憶部に記憶する条件を設定する設定情報をさらに記憶し、
前記制御手段は、前記地理上の位置を含む所定の範囲への出入りが検出されたとき、検出された出入りが、前記第１記憶部に記憶している設定情報と一致した場合、前記第２記憶部に記憶することを特徴とする請求項１または請求項２に記載の電子機器。
【発明の詳細な説明】
【０００１】
【発明の属する技術分野】
本発明は、ＧＰＳ（グローバル  ポジショニング  システム）を利用して得る緯度・経度の位置情報をもとに、ある範囲内の場所を確定し、そのエリアに入った、または出たときに、その場所と時刻をファイルに貯える時計、携帯情報端末、ウエアラブル・コンピュータなどの電子機器に関するものである。
【０００２】
【従来の技術】
近年、ＧＰＳを利用したシステムがさまざまな分野で利用されている。例えば、車におけるカーナビゲーションシステムでは、ＧＰＳを利用して、現在の位置を取得し、またＣＤ−ＲＯＭ等から地図情報を読み出し、ＧＰＳで取得した位置情報に基づいて、車が今どの位置にいるのかを地図を画面上に表示することで表している。車が移動することで画面上に表示されている道路地図も更新され、さらにその周辺の地図等も表示できる。
【０００３】
また、最近は上記のような車載タイプよりもはるかに小型化された時計にＧＰＳの機能を内蔵させたものも出てきている。例えば、カシオ計算機株式会社の『ＧＰＳ内蔵ウオッチ「PROTREK  SATELLITE  NAVI」』や特開平８−１２２０９３号公報で開示されている内容のものである。
【０００４】
カシオ計算機株式会社の『ＧＰＳ内蔵ウオッチ「PROTREK  SATELLITE  NAVI」』は、衛星から配信される起動データをメモリに記憶し、このデータを予め登録したエリア、時間をもとに、現在の位置を想定する。データの取得に際しては、連続して計測することもでき、例えば、１０分ごとに起動データとしての月・日・時・分・緯度・経度を取得してメモリに記憶することができる。
【０００５】
また、特開平８−１２２０９３号公報では、携帯型位置検出装置に装着されたＩＣカードに、時刻及びそのときの位置検出装置の所在地点を所定時間（１分）ごとに格納することにより、時刻及び所在地点の時系列データを作成していく。次に、日報作成支援装置において、ＩＣカード内に作成された時刻及び所在地点の時系列データを、位置検出装置が移動していた時間帯と、静止していた時間帯とに区分する。そして、静止時間帯については、位置情報に基づき、対応する地図情報（例えば、「△△産業（株）××支社」）をＣＤ−ＲＯＭより参照する。
【０００６】
【発明が解決しようとする課題】
しかしながら、前記記載の技術においては、なお以下のような課題を有している。
【０００７】
ＧＰＳ内蔵ウオッチ「PROTREK  SATELLITE  NAVI」においては、連続して位置情報は取得できるが、その反面、日常の生活において、このように連続して緯度・経度の情報を取得したら、データ量は膨大で、また緯度・経度が頭の中で場所に容易に結びつかないため、利用が困難になるといった問題を有している。
【０００８】
また、特開平８−１２２０９３号に記載の技術では、例えば自宅などに関しての地図情報がＣＤ−ＲＯＭに貯えられていないおそれがある。
【０００９】
本発明は、上記問題点を解決するためになされたもので、その目的とするところは、ユーザが例えば自宅から出勤し、勤務し、帰宅するような、日常の行動（会社への出勤、出張、プライベートな行動等）においても、ＧＰＳから得られる数多くの緯度・経度の位置情報を一々ユーザが取捨選択する操作を必要とせず、現在地や目的地の確認等を行うことができる電子機器を提供することである。
【００１０】
【課題を解決するための手段】
本発明におけるＧＰＳ機能を有する電子機器では、位置情報を取得する指示や各種操作を行うための入力手段と、前記指示に基づいてＧＰＳから位置情報を取得する位置情報取得手段と、前記取得した情報を記憶しておく記憶手段と、前記取得した情報を表示する表示手段とを備えたＧＰＳ機能を有する電子機器において、前記入力手段は、場所情報の取得を指示するための場所取得スイッチまたはボタンを有し、前記記憶手段は、経度及び緯度と、その位置からの有効範囲と、場所名に関する情報を記憶する第１記憶部と、位置情報を取得した日付及び時刻と、場所名と、その場所への出入りに関する情報を記憶する第２記憶部とを有し、前記場所取得スイッチまたはボタンにて場所情報を取得する指示がなされると、前記位置情報取得手段にて現在地に関する位置情報が取得され、その地点の経度及び緯度と、その位置からの有効範囲と、場所名に関する情報が前記第１記憶部に記憶され、一定時間間隔で現在地が前記位置情報取得手段によって計測され、その計測されて取得した位置情報を前記第１記憶部に記憶されている経度及び緯度と、その位置からの有効範囲の情報とで比較し、その有効範囲の内に入ったときと、外に出たときに、そのときの日付及び時刻と、場所名を取得データとして、前記第２記憶部に記憶し、該記憶された情報を前記表示手段に表示させる一連の制御をつかさどる制御手段を備えてなることを特徴とする。
【００１１】
本発明におけるＧＰＳ機能を有する電子機器では、前記第１記憶部に記憶する情報の項目に前記第２記憶部に情報を取得するための種類を含め、その種類によって、経度及び緯度と、その位置からの有効範囲の内に入ったとき、外に出たとき、あるいは入ったときと出たときに、そのときの日付及び時刻と、場所名を取得データとして、前記第２記憶部に追記することを特徴とする。
【００１２】
【発明の実施の形態】
以下に、本発明におけるＧＰＳ機能を有する電子機器の実施形態に関して図面を用いてその実施例を詳細に説明する。
【００１３】
図１は、本実施の形態におけるＧＰＳ機能を有する電子機器のシステムブロック図を示したものである。
【００１４】
図示しているように、本実施の形態におけるＧＰＳ機能を有する電子機器は、主として中央制御処理装置（ＣＰＵ）１と、第１メモリ２と、第２メモリ３と、入力装置４と、表示装置５と、音声出力装置６と、ＧＰＳ受信装置７とから構成されている。中央制御処理装置（ＣＰＵ）１は、本電子機器を構成する各種装置を制御するもので、その制御は第１メモリ２に格納されている処理に必要なプログラムやデータによって行われる。第１メモリ２は、上記中央制御処理装置（ＣＰＵ）１によって処理がなされるプログラムやデータが格納されており、ＲＯＭ（マスクＲＯＭ、ＥＰＲＯＭ、ＥＥＰＲＯＭ、フラッシュＲＯＭ等）で構成されている。尚、第１メモリ２は、これ以外で例えばＦＤ、ＨＤ、ＣＤ−ＲＯＭ、ＤＶＤ等の記憶媒体からプログラムが読み出されて処理（プログラム）が実行される構成であってもよい。第２メモリ３は、上記中央制御処理装置（ＣＰＵ）１によって処理が行われるときに必要となる作業エリア以外に、後で説明する入力されたデータ（例えば、緯度、経度、日付・時刻等のデータ）や処理結果のデータ（例えば、データの属性、現在地等のデータ）を記憶しておくためのテーブル３１とファイル３２が含まれており、ＲＡＭで構成されている。尚、第２メモリ３は、これ以外で例えばデータを記憶しておく部分は電気的に書き換え可能な不揮発性メモリ（ＥＥＰＲＯＭ、フラッシュＲＯＭ等）で構成されていてもよい。入力装置４は、スイッチ、キーボード、マウス、ジョイスティック、またはペンタッチ入力装置（タブレットやタッチパネルを含む）などから構成されている。表示装置５は、ＣＲＴやＬＣＤ等の液晶表示装置であってもよい。尚、本電子機器自体が小型化、例えば身に付ける程度の大きさのものであればＬＣＤ等の液晶表示装置である。さらに、上記入力装置４と表示装置５とが一体化した液晶表示一体型タブレットであってもよい。音声出力装置６は、スピーカ等で構成され、アラームを含む警告などの報知音を鳴らす。尚、この音声出力装置６は本実施の形態のシステムにおいて必須構成要件ではない。ＧＰＳ（ＧｌｏｂａｌＰｏｓｉｔｉｏｎｉｎｇＳｙｓｔｅｍ）受信装置７は、複数の衛星からの電波を受信し、現在位置を測定する。この現在位置は、緯度（北緯／南緯・度・分・秒）と経度（東経／西経・度・分・秒）で表される。さらに、時刻情報も取得できる機能も備えている。また、図１には示していないが、外部記憶媒体（磁気テープ、ＦＤ、ＨＤ、ＣＤ−ＲＯＭ、ＭＤ、ＭＯ、ＤＶＤ、各種（ＩＣ／光等の）カード）とアクセスするための手段や外部との通信Ｉ／Ｆ（インターフェース）、例えばインターネット等の外部通信ネットワークと接続できる端子及び処理手段も備えている構成であってもよい。以上の構成により、本装置（本電子機器）は卓上タイプや携帯端末サイズから時計のような身につけるサイズのものに至るまであらゆる分野／用途に応用できる。尚、上記説明では、報知手段としてスピーカを含む音声出力装置６と記載したが、これは音声による報知のみに限定されるものではなく、例えば、バイブレーション等を含む振動による手段で実現してもよい。
【００１５】
図２は、本実施の形態における経度・緯度及びその有効範囲及び場所（場所名）を格納しているテーブルのデータ構成の一例を示したものである。
【００１６】
このテーブル３１は、緯度３１ａ、経度３１ｂ、エリア３１ｃ、種類３１ｄ、フラグ３１ｅ、場所（場所名）３１ｆの項目から構成されている。図２に示されている例では、１０箇所の地点のデータ（３１−１から３１−１０）がテーブル３１に登録されている。このテーブル３１の各データは、エディタを用いて編集することができる。初めの９地点の場所（データ３１−１から３１−９まで）については、使用者が適当な場所名（例えば「自宅」）を入力している。最後の地点の場所（データ３１−１０）については、データを取得したときに、デフォルト値として、月日と時刻（０９／０１  １８：５６）が、場所名として仮に置かれている。
【００１７】
ここで緯度３１ａにおけるＮは北緯を表し、南緯はＳで表すものとする。同様に、経度３１ｂにおけるＥは東経を表し、西経はＷで表すものとする。例えば、図２の１番目のデータ３１−１において、Ｎ０３４３８２０は北緯３４°３８′２０″（以降、度、分、秒の記号表記をそれぞれ°、′、″とする）を表し、ここでの１″は約３０ｍに相当する。また、Ｅ１３５４８２０は東経１３５°４８′２０″を表し、ここでの１″は約２５ｍに相当する。
【００１８】
エリア３１ｃは、ある地点から東西南北へ取った距離を、ｍで表したものである。デフォルト値を１００とし、そのとき２００ｍの正方形内がその場所となる。エリア３１ｃの値は、エディタで変更することができる。尚、エリア３１ｃの値は、プログラムの起動時に予め°′″（度・分・秒）へ換算しておくことが望ましい。
【００１９】
種類３１ｄは、ファイル３２にデータを取得する方法の種類であり、緯度３１ａと経度３１ｂで示された地点を中心にエリア３１ｃで規定された範囲内の場所に入ったときに取得するものを１、出たときに取得するものを２、入ったときと出たときの両方で取得するものを３、取得しないものを０とし、デフォルト値は１とする。
【００２０】
フラグ３１ｅは、緯度３１ａと経度３１ｂで示された地点を中心にエリア３１ｃで規定された範囲内の場所にあるときを１とし、そうでないときを０とする。
【００２１】
例えば、図２において、７番目のデータ３１−７の場合、緯度３１ａと経度３１ｂのデータから場所が「東京」で、エリア３１ｃの値が１００００ｍであり、８番目のデータ３１−８の場合、緯度３１ａと経度３１ｂのデータから場所が「新宿」で、エリア３１ｃの値が１０００ｍであり、９番目のデータ３１−９の場合、緯度３１ａと経度３１ｂのデータから場所が「都庁」で、エリア３１ｃの値が２００ｍである。そのため、使用者が現在９番目のデータ３１−９の「都庁」の範囲内の場所にいるとすれば、７番目から９番目のフラグ３１ｅの値はすべて１になる。次に、「都庁」の範囲内から出たならば、９番目のフラグ３１ｅの値は０に変わり、さらに「新宿」の範囲内から出たならば、８番目のフラグ３１ｅの値は０に変わり、最終的に「東京」の範囲内から出たならば、７番目のフラグ３１ｅの値も０に変わる。
【００２２】
尚、テーブル３１の各項目のデータは、フラグ３１ｅを除いて、すべてエディットが可能である。そのため、緯度・経度を調べることができれば、未知の地点のデータを予め記憶しておくこともできる。
【００２３】
図３は、本実施の形態における位置情報を取得した日付・時刻及び場所（場所名）及びその場所への出入りに関する情報を格納しているファイルのデータ構成の一例を示したものである。
【００２４】
このファイル３２は、日付３２ａ、時刻３２ｂ、場所への出入り３２ｃ、場所（場所名）３２ｄの項目から構成されている。図３に示されている例では、１０箇所の地点のデータ（３２−１から３２−１０）がファイル３２に登録されている。このファイル３２にはＧＰＳで取得したデータが１行単位で追加されている。月日３２ａ及び時刻３２ｂは、データを取得した時点のものであり、そのとき取得し上記テーブル３１に登録された緯度３１ａと経度３１ｂで示された地点を中心にエリア３１ｃで規定された範囲内の場所に入ったものが入で、その範囲内から出たものが出と表示される。場所（場所名）３２ｄは、テーブル３１にある場所（場所名）３１ｆである。
【００２５】
例えば、図３において、１０番目のデータ３２−１０は最新のデータであり、月日３２ａが０９／０１で、時刻３２ｂが１８：５６に、ある場所をテーブル３１に取得したときのものである。尚、このファイル３２の情報は、行動メモとして後日参照でき、また編集して、報告書や日記とすることができる。
【００２６】
図４は、本実施の形態における処理を実行中の表示装置での表示例を示した図である。
【００２７】
表示装置５に表示されるデータの項目としては、上記図４のファイル３２に格納されている月日、時刻、入／出、場所（場所名）であり、ここでは１行単位でデータの表示がなされる。ただし、１行に限定される必要はない。この図４の場合は、最後に表示されているデータ５−１０が、最新のデータである。
【００２８】
また、表示画面上には、データ以外に、新たにある場所のデータをテーブル３１に取得することを指示するための場所取得ボタン５Ｂ１、表示されている画面（データ）のスクロールを行うための上スクロールボタン５Ｂ２や下スクロールボタン５Ｂ３が設けられている。またそれ以外にも図示していないが、左右のスクロールボタンが設けられていてもよい。例えば、これは表示画面上にボタンが表示されており、これをタッチすることで目的の動作が実行できるものであってもよい。
【００２９】
図５は、本実施の形態における処理の流れを説明するためのフローチャートである。
【００３０】
まず、処理をスタートすることでＧＰＳ受信装置７を動作させ、現在位置を計測する（ステップＳ１０１）。次に、テーブル３１の先頭から後尾に向かって順番に記憶されているデータを調べて行く（ステップＳ１０２）。検索した結果、残りのデータの有無を判断する（ステップＳ１０３）。もし残りのデータが無ければ時間待ち（ステップＳ１０４）、ここでは約１０分の時間待ちを行って、上記ステップＳ１０１に戻り、再度ＧＰＳ受信装置７を動作させ、現在位置を計測する。一方、残りのデータが有れば、上記ステップＳ１で取得した現在位置がそのデータのエリア内に有るか否かを判断する（ステップＳ１０５）。
【００３１】
ここでエリア内であれば、そのデータのフラグが１であるか否かを判断する（ステップＳ１０６）。フラグが１であれば、既にそのエリアに入っていたので、何もせず上記ステップＳ２に戻る。フラグが１でなければ、そのフラグを１に変える（ステップＳ１０７）。さらに、その種類が１または３であるか否かを判断する（ステップＳ１０８）。種類が１または３でないならば、何もせず上記ステップＳ１０２に戻る。種類が１または３であるならば、月日、時刻、入／出が入、場所（場所名）からなるデータに改行のコードを付加して、ファイル３２の最後に格納されているデータの次に今回取得したデータを最新データとして追加し（ステップＳ１１２）、同時にその取得したデータを表示装置５へ最新データとして表示し（ステップＳ１１３）、上記ステップＳ１０２に戻る。
【００３２】
一方、上記ステップＳ１０５で、エリア内でなければ、そのデータのフラグが０であるか否かを判断する（ステップＳ１０９）。フラグが０であれば、既にそのエリアから出ていたので、何もせず上記ステップＳ２に戻る。フラグが０でなければ、そのフラグを０に変える（ステップＳ１１０）。さらに、その種類が２または３であるか否かを判断する（ステップＳ１１１）。種類が２または３でないならば、何もせず上記ステップＳ１０２に戻る。種類が２または３であるならば、月日、時刻、入／出が出、場所（場所名）からなるデータに改行のコードを付加して、ファイル３２の最後に格納されているデータの次に今回取得したデータを最新データとして追加し（ステップＳ１１２）、同時にその取得したデータを表示装置５へ最新データとして表示し（ステップＳ１１３）、上記ステップＳ１０２に戻る。
【００３３】
例えば、図３においては、１０番目のデータ３２−１０である「月日  ０９／０１、時刻  １８：５６、入／出  入、場所  ０９／０１  １８：５６」が最新データに相当する。
【００３４】
図６は、本実施の形態における処理の一部で、ある場所で、その場所のデータをテーブルに取得するための流れを説明するためのフローチャートである。具体的には、図４の表示画面において、場所取得ボタン５Ｂ１をタッチしたときの動作を説明するためのフローチャートである。
【００３５】
まず、ＧＰＳ受信装置７を動作させて現在位置を計測する（ステップＳ２０１）。次に、図２に示されたテーブル３１を構成する項目の緯度３１ａ、経度３１ｂ、エリア３１ｃ、種類３１ｄ、フラグ３１ｅ、場所（場所名）３１ｆに関するデータを作成するために、ＧＰＳ受信装置７から取得した現在位置のデータを緯度３１ａと経度３１ｂに、エリア３１ｃと種類３１ｄとフラグ３１ｅにはデフォルト値である１００、１、１をそれぞれ格納し、場所（場所名）３１ｆの仮のデータをそのときの月日と時刻からなるデータとして、さらに改行のコードを付加したものを、テーブル３１に格納されている最後のデータの次に最新のデータとして追加する（ステップＳ２０２）。さらに、図３に示されたファイル３２を構成する項目の月日３２ａ、時刻３２ｂ、エリアへの入／出３２ｃ、場所（場所名）３２ｄに関するデータを作成するために、上記ステップＳ２０１で現在位置を取得した日付・時刻のデータを月日３２ａと時刻３２ｂに、エリアへの入／出３２ｃは上記テーブル３１に登録されたデータに基づいて判断した結果を、さらに場所（場所名）３２ｄの仮のデータをそのときの月日と時刻からなるデータ（このデータも上記テーブル３１の項目の場所３１ｆに登録されたものと同じデータ）として、さらに改行のコードを付加したものを、ファイル３２に格納されている最後のデータの次に最新のデータとして追加する（ステップＳ２０３）。最後にファイル３２に格納したそのデータを表示装置４へ最新データとして表示し（ステップＳ２０４）、本処理を終了する。尚、上記ステップＳ２０３の処理は、上記図３の説明時に記載した内容に基づいてなされる。
【００３６】
例えば、図４においては、最後に表示されているデータ５−１０である「月日０９／０１、時刻  １８：５６、入／出  入、場所  ０９／０１  １８：５６」が最新データに相当する。
【００３７】
尚、上記図５及び図６の動作のフローチャートにおいて説明した各種処理は、図示はしていないが次の各種手段によって実行される。
【００３８】
現在位置の測定処理（ステップＳ１０１）はＧＰＳ受信装置７である現在位置取得手段が、検索処理（ステップＳ１０２）はＣＰＵ（中央制御処理装置）１に設けられた検索手段が、各種判断処理（ステップＳ１０３、Ｓ１０５、Ｓ１０６、Ｓ１０８、Ｓ１０９、Ｓ１１１）はＣＰＵ（中央制御処理装置）１に設けられた判断手段が、処理を実行する。また、ファイル３２にデータを追加する処理（ステップＳ１１２、ステップＳ２０３）はＣＰＵ（中央制御処理装置）１に設けられた書き込み手段が記憶手段（第２メモリに該当する）の位置情報を取得した日付・時刻及び場所及びその場所への出入りに関する情報を格納している第２記憶領域に、またテーブル３１にデータを追加する処理（ステップＳ２０２）はＣＰＵ（中央制御処理装置）１に設けられた書き込み手段が記憶手段（第２メモリに該当する）の経度・緯度及びその有効範囲及び場所に関する情報を格納している第１記憶領域に、記憶する。また、テーブル３１やファイル３２にデータを追加するための指示を行う処理は入力装置である入力指示手段が行う。
【００３９】
以上のシステム構成及び処理のシーケンスによって、ＧＰＳより取得した任意の場所をテーブルに記憶する際に、その場所を、緯度・経度ではない適当な場所名で表現することができ、さらにその場所を任意の距離の正方形状のエリアとして指定ができ、その場所に入ったとき、出たとき、または入ったときと出たときとを、そのときの日時と時刻と共に、１行のデータとして、ファイルに記憶することができる。この結果、取得したデータは、内容がわかりやすくなり、さらに不必要なデータを貯えることがないため、無駄のないメモリの使用が実現できる。
【００４０】
以上、ここまで挙げた実施形態における内容は、本発明の主旨を変えない限り、上記記載に限定されるものではない。
【００４１】
【発明の効果】
本発明におけるＧＰＳ機能を有する電子機器においては、以下の効果が得られる。
【００４２】
ＧＰＳより取得した任意の場所をテーブルに記憶する際に、その場所を、緯度・経度ではない適当な場所名で表現することができ、さらにその場所を任意の距離の正方形状のエリアとして指定ができ、その場所に入ったとき、出たとき、または入ったときと出たときとを、そのときの日時と時刻と共に、１行のデータとして、ファイルに記憶することができる。この結果、取得したデータは、内容がわかりやすくなり、さらに不必要なデータを貯えることがないため、無駄のないメモリの使用が実現できる。
【図面の簡単な説明】
【図１】本発明におけるＧＰＳ機能を有する電子機器のシステム構成図である。
【図２】本発明における経度・緯度及びその有効範囲及び場所（場所名）を格納しているテーブルのデータ構成の一例を示したデータ構成図である。
【図３】本発明における位置情報を取得した日付・時刻及び場所（場所名）及びその場所への出入りに関する情報を格納しているファイルのデータ構成の一例を示したデータ構成図である。
【図４】本発明における処理を実行中の表示装置での表示例を示した図である。
【図５】本発明における処理の流れを説明するためのフローチャートである。
【図６】本発明における処理の一部で、ある場所で、その場所のデータをテーブルに取得するための流れを説明するためのフローチャートである。
【符号の説明】
１  中央制御処理装置（ＣＰＵ）
２  第１メモリ
３  第２メモリ
４  入力装置
５  表示装置
６  音声出力装置（スピーカ等）
７  ＧＰＳ受信装置
【図１】
0004465069.tif 000002
【図２】
0004465069.tif 000003
【図３】
0004465069.tif 000004
【図４】
0004465069.tif 000005
【図５】
0004465069.tif 000006
【図６】
0004465069.tif 000007